(57)【特許請求の範囲】
【請求項１】
データ入出力端子を通じて電子機器が接続可能で、内蔵された送受話器を備えた携帯電話機において、
前記電子機器が接続可能な音声入出力端子と、
当該携帯電話機単体で使用する場合には、
当該携帯電話機で受信され該携帯電話機側で処理した音声データを前記送受話器により放音させ、
当該携帯電話機を前記電子機器とともに使用する場合には、
当該携帯電話機が受信したデータを前記データ入出力端子を通じて前記電子機器に出力するとともに、前記電子機器から前記音声入出力端子を通じて入力された音声データを前記送受話器により放音させる制御手段と
を設けたことを特徴とする携帯電話機。
【請求項２】
データ入出力端子を通じて電子機器が接続可能で、内蔵された送受話器を備えた携帯電話機において、
前記電子機器が接続可能な音声入出力端子と、
当該携帯電話機単体で使用する場合には、
当該携帯電話機で受信され該携帯電話機側で処理した音声データを前記送受話器により放音させるとともに、前記送受話器で集音され該携帯電話機側で処理した音声データを当該携帯電話機から発信させ、
当該携帯電話機を前記電子機器とともに使用する場合には、
当該携帯電話機が受信したデータを前記データ入出力端子を通じて前記電子機器に出力し、前記電子機器から前記音声入出力端子を通じて入力された音声データを前記送受話器により放音させるとともに、前記送受話器で集音した音声データを前記音声入出力を通じて前記電子機器に出力し、前記電子機器から前記データ入出力端子を通じて入力されたデータを発信させる制御手段と
を設けたことを特徴とする携帯電話機。
【請求項３】
上記データ入出力端子はデジタル信号用のデジタルコネクタであり、上記音声入出力端子はアナログ信号用のアナログコネクタであることを特徴とする請求項１または請求項２に記載の携帯電話機。
【請求項４】
データ入出力端子を通じて携帯電話機が接続可能で、且つ該携帯電話機を通じてデータの送受信を行う電子機器において、
上記携帯電話機が接続可能な音声入出力端子と、
該音声入出力端子を通じて携帯電話機から入力された音声データとその他のデータとを多重し、上記データ入出力端子を通じて携帯電話機に出力するデータ多重手段と、
前記携帯電話機から上記データ入出力端子を通じて入力された多重データを音声データとその他のデータとに分解し、当該音声データを上記音声入出力端子を通じて携帯電話機に出力するデータ分解手段とを設けたことを特徴とする電子機器。
【請求項５】
ディスプレイを設ける一方、上記データ分解手段は、上記データ入出力端子を通じて携帯電話機から入力されたデータを音声データと映像データとに分解し、当該映像データに基づく映像を上記ディスプレイによって表示することを特徴とする請求項４記載の電子機器。
【請求項６】
カメラを設ける一方、上記データ多重手段は、上記カメラによって撮像された映像データと上記音声入出力端子を通じて携帯電話機から入力された音声データとを多重し、上記データ入出力端子を通じて携帯電話機に出力することを特徴とする請求項４又は請求項５記載の電子機器。
【請求項７】
携帯電話機と、該携帯電話機と接続する電子機器からなるシステムであって、
前記携帯電話機は、
内蔵された送受話器と、
前記電子機器と接続するための第１の音声入出力端子と、
前記電子機器と接続するための第１のデータ入力端子と、
当該携帯電話機単体で使用する場合には、
当該携帯電話機で受信され該携帯電話機側で処理した音声データを前記送受話器により放音させるとともに、前記送受話器で集音され該携帯電話機側で処理した音声データを当該携帯電話機から発信させ、
当該携帯電話機を前記電子機器とともに使用する場合には、
当該携帯電話機が受信したデータを前記第１のデータ入出力端子を通じて前記電子機器に出力し、前記電子機器から前記第１の音声入出力端子を通じて入力された音声データを前記送受話器により放音させるとともに、前記送受話器で集音した音声データを前記音声入出力を通じて前記電子機器に出力し、前記電子機器から前記データ入出力端子を通じて入力されたデータを発信させる制御手段と
を備え、
前記電子機器は、
前記携帯電話機と接続するための第２の音声入出力端子と、
前記携帯電話機と接続するための第２のデータ入力端子と、
前記第２の音声入出力端子を通じて携帯電話機から入力された音声データとその他のデータとを多重し、前記第２のデータ入出力端子を通じて携帯電話機に出力するデータ多重手段と、
前記携帯電話機から前記第２のデータ入出力端子を通じて入力された多重データを音声データとその他のデータとに分解し、当該音声データを前記第２の音声入出力端子を通じて携帯電話機に出力するデータ分解手段と
を備え、
前記第１の音声入出力端子と前記第２の音声入出力端子を接続し、前記第１のデータ入出力端子と前記第２のデータ入出力端子とを接続することを特徴とするシステム。
【発明の詳細な説明】
【０００１】
【発明の属する技術分野】
本発明は、電子機器を用いてデータ通信を行うことできる携帯電話機及び携帯電話機を用いてデータ通信を行うことができる電子機器に関する。
【０００２】
【従来の技術】
従来より、電子機器を用いてデータ通信を行うことできる携帯電話機及び携帯電話機を用いてデータ通信を行うことができる電子機器としては、図２に示すように、携帯電話機ＡにＴＶ電話装置Ｂを接続することによってＴＶ電話システムを構築するようにしたものが提案されていた。
【０００３】
これは、携帯電話機Ａが、通常の音声通信を内蔵マイク１と内蔵スピーカ９を使用して行うが、パソコン通信等を用途とするためにデジタル信号入出力端子を有するデジタルコネクタ１０が備えらており、このデジタルコネクタ１０の入出力端子は電気的特性や形状が規格化され、規格に準拠した様々なデータ通信機器が接続可能となっていると共に、映像や音声の圧縮技術の進歩によって、それらデータを処理するプロセッサの性能も格段の進歩を遂げており、携帯電話機ＡにＴＶ電話装置Ｂを外部接続することも可能になってきていることに大きく起因するものである。
【０００４】
そして、このように、携帯電話機Ａに備えられたデジタルコネクタ１０の入出力端子にデジタル信号線４１を通じて接続されるＴＶ電話装置Ｂは、カメラ２８で撮像されたビデオ信号とマイクＣから入力される音声信号をエンコードした後、デジタル圧縮符号多重化してデジタル信号線４１に出力することによって、携帯電話機Ａで変調／高周波増幅させて電波として送信させるようになっており、又携帯電話機Ａで受信された電波が復調されて受信デジタル信号としてデジタル信号線４１を介してＴＶ電話装置Ｂへ入力され、ＴＶ電話装置Ｂで音声信号とビデオ信号に分解された後、それぞれデコードされ、ビデオ信号が表示装置２６で表示され、音声信号がスピーカＤによって放音されるようになっていた。
【０００５】
【発明が解決しようとする課題】
ところが、上記従来装置では、ＴＶ電話システムのように音声情報とその他の情報とを多重して送受信するようなシステムを構築した際において、音声のエンコーダ／デコーダがＴＶ電話装置Ｂ側に移り、携帯電話機Ａの内蔵マイク１と内蔵スピーカ９を使用できなくなるため、携帯電話機Ａに外部接続されるＴＶ電話装置Ｂにおいて新たにマイクＣとスピーカＤとを備えなければならず、装置全体の規模が大きくなり重量が増すといった問題点があった。
【０００６】
本発明は、装置全体の規模及び重量を増すことなく、ＴＶ電話システム等のように音声情報とその他の情報とを多重して送受信するようなシステムを構築することができる携帯電話機及び電子機器を提供することを目的とするものである。
【０００７】
【課題を解決するための手段】
上記目的を達成するために、本発明は、データ入出力端子を通じて電子機器が接続可能で、内蔵された送受話器を備えた携帯電話機において、前記電子機器が接続可能な音声入出力端子と、当該携帯電話機単体で使用する場合には、当該携帯電話機で受信され該携帯電話機側で処理した音声データを前記送受話器により放音させ、当該携帯電話機を前記電子機器とともに使用する場合には、当該携帯電話機が受信したデータを前記データ入出力端子を通じて前記電子機器に出力するとともに、前記電子機器から前記音声入出力端子を通じて入力された音声データを前記送受話器により放音させる制御手段とを設けたものである。また、データ入出力端子を通じて電子機器が接続可能で、内蔵された送受話器を備えた携帯電話機において、前記電子機器が接続可能な音声入出力端子と、当該携帯電話機単体で使用する場合には、当該携帯電話機で受信され該携帯電話機側で処理した音声データを前記送受話器により放音させるとともに、前記送受話器で集音され該携帯電話機側で処理した音声データを当該携帯電話機から発信させ、当該携帯電話機を前記電子機器とともに使用する場合には、当該携帯電話機が受信したデータを前記データ入出力端子を通じて前記電子機器に出力し、前記電子機器から前記音声入出力端子を通じて入力された音声データを前記送受話器により放音させるとともに、前記送受話器で集音した音声データを前記音声入出力を通じて前記電子機器に出力し、前記電子機器から前記データ入出力端子を通じて入力されたデータを発信させる制御手段とを設けたものである。
【０００８】
また、上記データ入出力端子はデジタル信号用のデジタルコネクタであり、上記音声入出力端子はアナログ信号用のアナログコネクタであることを特徴とする。
【０００９】
本発明は、データ入出力端子を通じて携帯電話機が接続可能で、且つ該携帯電話機を通じてデータの送受信を行う電子機器において、上記携帯電話機が接続可能な音声入出力端子と、該音声入出力端子を通じて携帯電話機から入力された音声データとその他のデータとを多重し、上記データ入出力端子を通じて携帯電話機に出力するデータ多重手段と、前記携帯電話機から上記データ入出力端子を通じて入力された多重データを音声データとその他のデータとに分解し、当該音声データを上記音声入出力端子を通じて携帯電話機に出力するデータ分解手段とを設けたものである。
【００１０】
また、ディスプレイを設ける一方、上記データ分解手段が、上記データ入出力端子を通じて携帯電話機から入力されたデータを音声データと映像データとに分解し、当該映像データに基づく映像を上記ディスプレイによって表示するものである。
【００１１】
また、カメラを設ける一方、上記データ多重手段が、上記カメラによって撮像された映像データと上記音声入出力端子を通じて携帯電話機から入力された音声データとを多重し、上記データ入出力端子を通じて携帯電話機に出力するものである。
【００１２】
従って、データ入出力端子を介して接続された電子機器又は内蔵された送受話器の何れか一方を選択してデータの送受信を行う一方、制御手段が音声入出力端子を介して電子機器から入力された音声データ又はアンテナを介して受信された音声データの何れか一方を選択して送受話器により放音させると共に、送受話器により集音された音声データを音声入出力端子を介して電子機器に出力させることにより、データ入出力端子を介して接続された電子機器を選択してデータの送受信を行う場合であっても、携帯電話機の送受話器を用いて音声データの送受信を行うことができる。
【００１３】
また、データ入出力端子を介して接続された電子機器を選択してデータの送受信を行うとき、制御手段が音声入出力端子を介して電子機器から入力された音声データを自動的に選択して送受話器により放音させると共に、送受話器により集音された音声データを音声入出力端子を介して電子機器に出力させることにより、データ入出力端子を介して接続された電子機器を選択してデータの送受信を行う場合において、携帯電話機の送受話器を用いた音声データの送受信を自動設定することができる。
【００１５】
また、データ入出力端子を介して接続された携帯電話機を通じてデータの送受信を行うとき、データ分解手段がデータ入出力端子を通じて携帯電話機から入力されたデータを音声データと映像データとに分解し、その音声データを音声入出力端子を通じて携帯電話機に出力する一方、映像データに基づく映像をディスプレイに表示することにより、データ入出力端子を介して接続された携帯電話機を用いてデータの送受信を行う場合において、相手から送られてきた映像を見ながら、携帯電話機の送受話器を用いて音声データの送受信を行うことができる。
【００１６】
また、データ入出力端子を介して接続された携帯電話機を通じてデータの送受信を行うとき、データ多重手段が音声入出力端子を通じて携帯電話機から入力された音声データとカメラによって撮像された映像データとを多重し、データ入出力端子を通じて携帯電話機に出力することにより、データ入出力端子を介して接続された携帯電話機を用いてデータの送受信を行う場合において、相手に映像を送りながら、携帯電話機の送受話器を用いて音声データの送受信を行うことができる。
【００１７】
【発明の実施の形態】
以下、本発明の実施の形態について図面を参照して詳細に説明する。
【００１８】
図１は本発明の一実施の形態である携帯電話機及び電子機器の電気的構成を示す機能ブロック図である。
【００１９】
図１において、１は外部の音声を集音する内蔵マイク、２は内蔵マイク１によって集音された音声信号をデジタル信号に変換するＡ／Ｄ変換部、３はＡ／Ｄ変換部２によって変換されたデジタル信号の符号化圧縮や変調を行う符号化変調部、４は符号化変調部３によって変調された信号のＲＦ増幅を行い送信信号としてアンテナ５より電波として送信するＲＦ送信ユニット、５はアンテナ、６はアンテナ５によって受信された電波のＲＦ増幅を行うと共に受信選択して受信信号とするＲＦ受信ユニット、７はＲＦ受信ユニット６からの受信信号を復調してデジタル信号を得る符号化復調部、８は符号化復調部７からのデジタル信号を音声信号に変換するＤ／Ａ変換部、９はＤ／Ａ変換部８からの音声信号を外部に放音する内蔵スピーカである。
【００２０】
１０は制御信号入出力端子と外部デジタル入力端子と外部デジタル出力端子とからなるデジタルコネクタ、１１は外部音声入力端子と外部音声出力端子とからなるアナログコネクタ、１２は内蔵マイク１にＡ／Ｄ変換部２又は外部音声出力端子の何れか一方を選択接続する第１スイッチ、１３は符号化変調部３にＡ／Ｄ変換部２又は外部デジタル入力端子の何れか一方を選択接続する第２スイッチ、１４は符号化復調部７にＤ／Ａ変換部８又は外部デジタル出力端子の何れか一方を選択接続する第３スイッチ、１５は内蔵スピーカ９にＤ／Ａ変換部８又は外部音声入力端子の何れか一方を選択接続する第４スイッチ、１６は電話番号の入力や各種機能の起動及び停止を指示する操作部、１７は制御信号入出力端子１０からの制御信号や操作部１６からの各種指示信号等に基づいて第１〜第４スイッチ１２〜１５の選択切換や各部の動作制御やＴＶ電話装置Ｂの動作制御等を行う制御部である。
【００２１】
そして、これら内蔵マイク１と、Ａ／Ｄ変換部２と、符号化変調部３と、ＲＦ送信ユニット４と、アンテナ５と、ＲＦ受信ユニット６と、符号化復調部７と、Ｄ／Ａ変換部８と、内蔵スピーカ９と、デジタルコネクタ１０と、アナログコネクタ１１と、第１スイッチ１２と、第２スイッチ１３と、第３スイッチ１４と、第４スイッチ１５と、操作部１６と、制御部１７とによって携帯電話機Ａが構成されている。
【００２２】
２１は制御信号入出力端子と外部デジタル入力端子と外部デジタル出力端子とからなるデジタルコネクタ、２２は外部音声入力端子と外部音声出力端子とからなるアナログコネクタ、２３は外部デジタル入力端子からのデジタル信号を多重化デコードしてデジタル音声信号とデジタルビデオ信号に分解する多重デコード部、２４は多重デコード部２３によって分解されたデジタル音声信号を音声信号にデコードして外部音声出力端子に供給するＡｕｄｉｏデコード部、２５は多重デコード部２３によって分解されたデジタルビデオ信号をビデオ信号にデコードするＶｉｄｅｏデコード部、２６はＶｉｄｅｏデコード部２５によってデコードされたビデオ信号に基づく映像を表示する表示装置である。
【００２３】
２７は外部音声入力端子に供給された音声信号をデジタル符号化圧縮してデジタル音声信号を得るＡｕｄｉｏエンコード部、２８はカメラ、２９はカメラ２８による撮像によって得られたビデオ信号をデジタル符号化圧縮してデジタルビデオ信号を得るＶｉｄｅｏエンコード部、３０はＡｕｄｉｏエンコード部２７からのデジタル音声信号とＶｉｄｅｏエンコード部２９からのデジタルビデオ信号を多重して外部デジタル出力端子に供給する多重エンコード部、３１は各種機能の起動や停止指示を行う操作部、３２は制御信号入出力端子からの制御信号や操作部３１からの各種指示信号等に基づいて各部の動作制御や携帯電話機Ａの動作制御等を行うユニット制御部である。
【００２４】
そして、これらデジタルコネクタ２１と、アナログコネクタ２２と、多重デコード部２３と、Ａｕｄｉｏデコード部２４と、Ｖｉｄｅｏデコード部２５と、表示装置２６と、Ａｕｄｉｏエンコード部２７と、カメラ２８と、Ｖｉｄｅｏエンコード部２９と、多重エンコード３０と、操作部３１と、ユニット制御部３２とによってＴＶ電話装置Ｂが構成されている。
【００２５】
４１は携帯電話機Ａのデジタルコネクタ１０とＴＶ電話装置Ｂのデジタルコネクタ２１とを接続するためのデジタル信号線であり、携帯電話機Ａの制御信号入出力端子及び外部デジタル入力端子並びに外部デジタル出力端子とＴＶ電話装置Ｂの制御信号入出力端子及び外部デジタル出力端子並びに外部デジタル入力端子とをそれぞれ接続するものである。
【００２６】
４２は携帯電話機Ａのアナログコネクタ１１とＴＶ電話装置Ｂのアナログコネクタ２２とを接続するためのアナログ信号線であり、携帯電話機Ａの外部音声入力端子及び外部音声出力端子とＴＶ電話装置Ｂの外部音声出力端子及び外部音声入力端子とをそれぞれ接続するものである。
【００２７】
上記のように構成された携帯電話機Ａ及びＴＶ電話装置Ｂについて、まず、携帯電話機Ａを単体で用いる場合について説明する。
【００２８】
制御部１７が制御信号入出力端子１０からの信号有無又は操作部１６からの指示等に基づいて携帯電話機Ａを単体で用いる旨の指示を検出すると、第１〜第４スイッチ１２〜１５を切換制御して内蔵マイク１とＡ／Ｄ変換部２、Ａ／Ｄ変換部２と符号化変調部３、符号化復調部７とＤ／Ａ変換部８、及びＤ／Ａ変換部８と内蔵スピーカ９をそれぞれ接続させる。
【００２９】
そして、このような状態において、携帯電話機Ａを用いて通常音声通信を行う場合には、内蔵マイク１に入力されたアナログ音声信号は、第１スイッチ１２を通じてＡ／Ｄ変換部２に入力され、ここでデジタル音声信号に変換された後、第２スイッチ１３を通じて符号化変調部３に入力され、ここで符号化圧縮されて変調されると共に、ＲＦ送信ユニット４によってＲＦ増幅が行われ、アンテナ５より電波として送信される一方、アンテナ５により受信された信号は、ＲＦ受信ユニット６によって増幅された後、受信選択されて送信信号として符号化復調部７に入力され、ここで復調されてデジタル音声信号が得られた後、そのデジタル音声信号が第３スイッチ１４を通じてＤ／Ａ変換部８に入力され、ここでアナログ音声信号に変換された後、第４スイッチ１５を通じて内蔵スピーカ９に供給され、外部に放音されるようになっている。
【００３０】
次に、携帯電話機ＡとＴＶ電話装置Ｂを接続して用いる場合について説明する。
【００３１】
デジタル信号線４１を介して携帯電話機Ａのデジタルコネクタ１０とＴＶ電話装置Ｂのデジタルコネクタ２１とが接続されると共に、アナログ信号線４２を介して携帯電話機Ａのアナログコネクタ１１とＴＶ電話装置Ｂのアナログコネクタ２２とが接続されると、携帯電話機Ａにおいては、制御部１７がデジタルコネクタ１０の制御信号入出力端子からの制御信号又は操作部１６からの指示等に基づいてＴＶ電話装置Ｂをも用いる旨の指示を検出したとき、第１〜第４スイッチ１２〜１５を切換制御して内蔵マイク１とアナログコネクタ１１の外部音声出力端子、符号化変調部３とデジタルコネクタ１０の外部デジタル入力端子、符号化復調部７とデジタルコネクタ１０の外部デジタル出力端子、及び内蔵スピーカ９とアナログコネクタ１１の外部音声入力端子とをそれぞれ接続させる。
【００３２】
そして、このような状態において、携帯電話機ＡとＴＶ電話装置Ｂとを用いてＴＶ電話通信を行う場合には、内蔵マイク１に入力されたアナログ音声信号は、第１スイッチ１２を通じてアナログコネクタ１１の外部音声出力端子に供給され、アナログ信号線４２及びアナログコネクタ２２の外部音声入力端子を介してＡｕｄｉｏエンコード部２７に入力され、ここでデジタル符号化圧縮が行われてデジタル音声信号に変換された後、多重エンコード部３０に入力される一方、カメラ２８で撮像されたビデオ信号は、Ｖｉｄｅｏエコード部２９に入力され、ここでデジタル符号化圧縮が行われてデジタルビデオ信号に変換された後、多重エンコード部３０に入力される。
【００３３】
そして、Ａｕｄｉｏエンコード部２７からのデジタル音声信号及びＶｉｄｅｏエンコード部２９からのデジタルビデオ信号は、多重エンコード部３０にて多重化されて多重化デジタル送信信号に変換された後、デジタルコネクタ２１の外部デジタル出力端子に供給され、デジタル信号線４１及びデジタルコネクタ１０の外部デジタル入力端子並びに第２スイッチ１３を介して符号化変調部３に入力され、ここで符号化圧縮されて変調されると共に、ＲＦ送信ユニット４によってＲＦ増幅が行われ、アンテナ５より電波として送信される。
【００３４】
一方、アンテナ５により受信された信号は、ＲＦ受信ユニット６によって増幅された後、受信選択されて送信信号として符号化復調部７に入力され、ここで復調されてデジタル受信信号が得られた後、そのデジタル受信信号が第３スイッチ１４を通じてデジタルコネクタ１０の外部デジタル出力端子に供給され、デジタル信号線４１及びデジタルコネクタ２１の外部デジタル入力端子に入力され、ここで多重化デコードが行われてデジタル音声信号とデジタルビデオ信号に変換された後、デジタル音声信号がＡｕｄｉｏデコード部２４に入力されると共に、デジタルビデオ信号がＶｉｄｅｏデコード部２５に入力される。
【００３５】
そして、デジタル音声信号は、Ａｕｄｉｏデコード部２４にてデコードされてアナログ音声信号に変換された後、アナログコネクタ２２の外部音声出力端子に供給され、アナログ信号線２２及びアナログコネクタ１１の外部音声入力端子並びに第４スイッチ１５を介して内蔵スピーカ９に供給され、外部に放音される一方、デジタルビデオ信号は、Ｖｉｄｅｏデコード部２５にてデコードされてアナログビデオ信号に変換された後、表示装置２６に映像として表示される。
【００３６】
従って、上記動作制御によれば、携帯電話機Ａを単体で用いる場合において、内蔵マイク１と内蔵スピーカ９とを用いて通話を行うことができると共に、ＴＶ電話装置Ｂを用いてＴＶ電話通信を行う場合においても、携帯電話機Ａの内蔵マイク１と内蔵スピーカとを用いて通話を行うことができる。
【００３７】
尚、上記実施の形態では、携帯電話機ＡとＴＶ電話装置Ｂとの間の信号伝送として信号線を用いるようにしたが、これに限定するものではなく、赤外線や電波を用いるようにしても良く、又音声伝送に関しても、アナログ音声信号の伝送ではなく、Ａ／Ｄ変換後及びＤ／Ａ変換前のデジタル音声信号を伝送するようにしても良い。
【００３８】
又、上記実施の形態では、携帯電話機Ａに接続可能な電子機器としてＴＶ電話装置Ｂを用い、ＴＶ電話システムを構築するようにしたが、これに限定するものではなく、携帯電話機Ａに接続可能な電子機器としてパソコンを用い、データ通信と音声通信とを同時に行うことができるようなシステムを構築するようにしても良い。
【００３９】
【発明の効果】
以上のように、本発明によれば、データ入出力端子を介して接続された電子機器を選択してデータの送受信を行う場合であっても、携帯電話機の送受話器を用いて音声データの送受信を行うことができるため、電子機器に新たにマイクとスピーカとを備えることなく、ＴＶ電話システム等のように音声情報とその他の情報とを多重して送受信するようなシステムを構築することができる。
【００４０】
また、データ入出力端子を介して接続された電子機器を選択してデータの送受信を行う場合において、携帯電話機の送受話器を用いた音声データの送受信を自動設定することができるため、使用者における繁雑な操作を軽減することができ、使い勝手を向上することができる。
【００４１】
また、データ入出力端子を介して接続された携帯電話機を用いてデータの送受信を行う場合において、携帯電話機の送受話器を用いて音声データの送受信を行うことができるため、電子機器に新たにマイクとスピーカとを備えることなく、ＴＶ電話システム等のように音声情報とその他の情報とを多重して送受信するようなシステムを構築することができる。
【図面の簡単な説明】
【図１】本発明の一実施の形態である携帯電話機及び電子機器の電気的構成を示す機能ブロック図である。
【図２】従来例である携帯電話機及び電子機器の使用形態を示す説明図である。
【符号の説明】
Ａ    携帯電話機
Ｂ    ＴＶ電話装置
１    内蔵マイク
２    Ａ／Ｄ変換部
３    符号化変調部
４    ＲＦ送信ユニット
５    アンテナ
６    ＲＦ受信ユニット
７    符号化復調部
８    Ｄ／Ａ変換部
９    内蔵スピーカ
１０、２１    デジタルコネクタ
１１、２２    アナログコネクタ
１２〜１５    第１〜第４スイッチ
１６、３１    操作部
１７    制御部
２３    多重デコード部
２４    Ａｕｄｉｏデコード部
２５    Ｖｉｄｅｏデコード部
２６    表示装置
２７    Ａｕｄｉｏエンコード部
２８    カメラ
２９    Ｖｉｄｅｏエンコード部
３０    多重エンコード
３２    ユニット制御部
４１    デジタル信号線
４２    アナログ信号線
【図１】
0003649602.tif 000002
【図２】
0003649602.tif 000003